(57)【要約】【課題】自動制御時に内部で自動判定処理が行われるときに使用される基準値をユーザーの所望の基準値に設定可能な空調システムを得ること。【解決手段】少なくとも１つの室外機及び室内機と、該室内機に接続されたリモコンと、を有する空調システムであって、リモコン５は少なくとも操作部及び表示部、または操作表示部を有し、表示部または操作表示部には空調システムの自動制御における基準値が表示され、リモコン５の操作部または操作表示部にて操作が行われることで、空調システムの自動制御における基準値が選択されると、選択された基準値が室内機に送信されて自動制御運転が行われる。【選択図】図１
2015145736.tif 000002
【特許請求の範囲】
【請求項１】
少なくとも１つの室外機及び室内機と、該室内機に接続されたリモコンと、を有する空調システムであって、
前記リモコンは少なくとも操作部及び表示部、または操作表示部を有し、
前記表示部または前記操作表示部には前記空調システムの自動制御における基準値が表示され、
前記リモコンの前記操作部または前記操作表示部にて操作が行われることで、前記空調システムの自動制御における基準値が選択されると、前記選択された基準値が前記室内機に送信されて自動制御運転が行われることを特徴とする空調システム。
【請求項２】
前記自動制御における基準値は、ユーザー名と関連付けて記憶されていることを特徴とする請求項１に記載の空調システム。
【請求項３】
少なくとも１つの室外機及び室内機を有する空調システムの該室内機に接続されたリモコンであって、
少なくとも操作部及び表示部、または操作表示部を有し、
前記表示部または前記操作表示部には前記空調システムの自動制御における基準値が表示され、
前記操作部または前記操作表示部にて操作が行われることで、前記空調システムの自動制御における基準値が選択されると、前記選択された基準値が前記室内機に送信されて自動制御運転が行われることを特徴とする空調システムのリモコン。
【請求項４】
前記操作表示部がタッチパネルであることを特徴とする請求項３に記載の空調システムのリモコン。
【発明の詳細な説明】
【技術分野】
【０００１】
本発明は、空調システム及び空調システムのリモコンに関する。
【背景技術】
【０００２】
従来の空調システムでは風速設定や風向設定に自動制御を選択することができる。例えば、風速設定では弱風・中風・強風のような固定風速のほかに自動制御を選択することができる。この自動制御が選択された場合には、空調システムがあらかじめ設定されている基準値に基づいて自動判定処理を行っているため、風速設定や風向設定が空調システムの据え付け環境によって、ユーザーの求める風速設定や風向設定とならないことがあった。
【０００３】
例えば特許文献１には、これを解決するために優先順位の設定や空調システムのエリア情報を用いた制御を行う技術が開示されている。
【先行技術文献】
【特許文献】
【０００４】
【特許文献１】特開２００５−１３４０２１号公報
【発明の概要】
【発明が解決しようとする課題】
【０００５】
しかしながら、上記従来の技術によれば、優先順位を設けた場合であっても、空調システムが動作環境を判断して制御を行っていることに変わりはない。そのため、ユーザーの望む風速設定及び風向設定に変更することができない、という問題があった。
【０００６】
本発明は、上記に鑑みてなされたものであって、自動制御時に内部で自動判定処理が行われるときに使用される基準値をユーザーの所望の基準値に設定可能な空調システムを得ることを目的とする。
【課題を解決するための手段】
【０００７】
上述した課題を解決し、目的を達成するために、本発明は、少なくとも１つの室外機及び室内機と、該室内機に接続されたリモコンと、を有する空調システムであって、前記リモコンは少なくとも操作部及び表示部、または操作表示部を有し、前記表示部または前記操作表示部には前記空調システムの自動制御における基準値が表示され、前記リモコンの前記操作部または前記操作表示部にて操作が行われることで、前記空調システムの自動制御における基準値が選択されると、前記選択された基準値が前記室内機に送信されて自動制御運転が行われることを特徴とする。
【発明の効果】
【０００８】
本発明によれば、自動制御時に内部で自動判定処理が行われるときに使用される基準値をユーザーの所望の基準値に設定変更可能な空調システムを得ることができるという効果を奏する。
【図面の簡単な説明】
【０００９】
【図１】図１は、実施の形態１にかかる空調システムの構成の一例を示す図である。
【図２】図２は、実施の形態１にかかる第１の室内機または第２の室内機のブロック図の一例を示す図である。
【図３】図３は、実施の形態１にかかるリモコンの外観の一例を示す図である。
【図４】図４は、実施の形態１にかかる空調システムを構成する室内機と風向を示す図である。
【図５】図５は、実施の形態２にかかるリモコンの外観の一例を示す図である。
【発明を実施するための形態】
【００１０】
以下に、本発明にかかる空調システムの実施の形態を図面に基づいて詳細に説明する。なお、この実施の形態によりこの発明が限定されるものではない。
【００１１】
実施の形態１．
図１は、本発明にかかる空調システムの実施の形態１の構成の一例を示す図である。図１に示す空調システム１０では、第１の室外機１と第１の室内機３が通信線６によって接続され、第２の室外機２と第２の室内機４が通信線７によって接続され、第１の室内機３及び第２の室内機４は、通信線８，９によってリモコン５に接続されている。
【００１２】
図１に示す空調システム１０においてリモコン５を操作して設定情報が変更されると、リモコン５が空調システム１０内に存在する室外機（第１の室外機１、第２の室外機２）及び室内機（第１の室内機３、第２の室内機４）と通信を行うことによって、操作内容が空調システム１０の動作に反映される。このように、室内機（第１の室内機３、第２の室内機４）と室外機（第１の室外機１、第２の室外機２）または室内機（第１の室内機３、第２の室内機４）とリモコン５が通信線６〜９を介して通信する空調システムの設定情報としては、例えば、風速（例えば、弱風であるかまたは強風であるか）、風向（例えば、上向きであるかまたは下向きであるか）及び温度（例えば、２５℃または２６℃）が挙げられる。
【００１３】
図２は、第１の室外機１（または第２の室外機２）及びリモコン５と通信する第１の室内機３（または第２の室内機４）のブロック図の一例を示す図である。第１の室内機３（または第２の室内機４）は、リモコン通信送信部１１と、リモコン通信受信部１２と、マイコン制御処理部１３と、風速指令部１４と、風向司令部１５と、内外通信送信部１６と、内外通信受信部１７と、メモリ１８と、を備える。
【００１４】
リモコン通信送信部１１は、第１の室内機３（または第２の室内機４）の設定情報をリモコン５へ送信する。リモコン通信受信部１２は、リモコン５からの設定情報を受信する。リモコン通信受信部１２が受信した設定情報はマイコン制御処理部１３に送信され、マイコン制御処理部１３は第１の室内機３（または第２の室内機４）を制御する。
【００１５】
ここで、ユーザーが、リモコン５を操作することにより、設定風速を弱風から強風に変更した場合及び設定風向を下向きから上向きに変更した場合の動作の一例を説明する。
【００１６】
ユーザーがリモコン５を操作して設定風速を弱風から強風に変更すると、この情報がリモコン通信受信部１２に送信される。リモコン５が送信する変更した設定風速をリモコン通信受信部１２が受信すると、マイコン制御処理部１３は設定風速が弱風から強風に変更されたことを認識し、風速指令部１４に風速を弱風から強風に変更するよう指令を出す。風速指令部１４は、第１の室内機３（または第２の室内機４）に接続されているファンモータ（図示しない）を強風の設定として高回転で動作させる。
【００１７】
同様に、ユーザーがリモコン５を操作して設定風向を下向きから上向きに変更すると、この情報がリモコン通信受信部１２に送信される。リモコン５が送信する変更した設定風速をリモコン通信受信部１２が受信すると、マイコン制御処理部１３は設定風向が下向きから上向きに変更されたことを認識し、風向指令部１５に風向を下向きから上向きに変更するよう指令を出す。風向指令部１５は、第１の室内機３（または第２の室内機４）の風向調整器（図示しない）の向きを変更する。
【００１８】
マイコン制御処理部１３は、設定風速または設定風向が変更されたことを認識すると、風速指令部１４または風向指令部１５のみならず、内外通信送信部１６を介して第１の室外機１（または第２の室外機２）にも変更された設定風速または設定風向を送信する。
【００１９】
なお、ここではユーザーがリモコン５の操作を行った場合について説明したが、第１の室外機１（または第２の室外機２）側から内外通信受信部１７に設定情報（設定風速または設定風向）が送信されてもよく、このときにはマイコン制御処理部１３によって風速指令部１４（または風向指令部１５）及びリモコン通信送信部１１に対して設定情報（設定風速または設定風向）の送受信が行われる。
【００２０】
このように、設定情報（設定風速または設定風向）は、リモコン５と第１の室内機３（または第２の室内機４）との間のみならず、第１の室内機３（または第２の室内機４）と第１の室外機１（または第２の室外機２）との間でも送受信される。
【００２１】
ところで、本実施の形態の空調システムでは、設定情報に自動制御基準値設定が含まれる。自動制御基準値設定はリモコン５内のメモリ（図示しない）に記憶されている。自動制御運転時には、リモコン５からマイコン制御処理部１３に自動制御基準値設定が送信されてマイコン制御処理部１３は該自動制御基準値に基づいて、風速及び風向等を決定して運転する。自動制御基準値設定は、リモコン５を操作することにより変更可能である。
【００２２】
図３は、本実施の形態における、リモコン５の外観の一例を示す図である。リモコン画面２１には、ユーザーが操作することができる設定値（自動制御基準値設定）として風速設定と風向設定が表示されており、各項目において設定できる選択肢として、設定１〜３が表示されている。風速設定では、例えば設定１を強風とし、設定２を中風とし、設定３を弱風とする。または、設定２を弱風とし、設定３を微風としてもよい。風向設定では、例えば設定１を上向き、設定２を斜め下向き、設定３を下向きとする。ユーザーがリモコン５の操作ボタン２２によりリモコン画面２１を操作することで、自動制御基準値は設定１〜３のいずれかに決定される。なお、リモコン画面２１を操作表示部（タッチパネル）にすると、リモコン画面２１上で操作が完結するため、操作ボタン２２が不要となり、リモコン５の操作性が向上する。
【００２３】
図３に示すリモコン５のリモコン画面２１で設定した自動制御基準値設定は、リモコン５から第１の室内機３（第２の室内機４）及び第１の室外機１（第２の室外機２）に送信され、これらに設定情報として追加される。マイコン制御処理部１３は、追加された自動制御基準値に基づいて自動運転を行う。
【００２４】
例えば、空調システムの設定風速が自動制御に設定されると、マイコン制御処理部１３は自動制御基準値設定と空調機状態（例えば設定温度と室内温度の温度差）を参照して風速を決定する。
【００２５】
表１は、図３のリモコン画面２１内の設定１〜３を自動制御に組み込んだときの一例であり、自動制御風速設定と室内温度−設定温度の組み合わせで風速を決定している。
【００２６】
【表１】
2015145736.tif 000003
【００２７】
例えば、自動制御風速設定が設定２で、室内温度−設定温度が５℃のとき、風速は強風になる。表１に示すように、自動制御風速設定は設定１〜３のそれぞれに応じて設定風速が異なり、例えば、設定１では温度差１℃毎に風速が上がり、設定２では温度差２℃毎に風速が上がり、設定３では温度差３℃毎に風速が上がる。このように、温度差と設定風速の組み合わせを選択できる構成とすると、ユーザーの快適性に応じて自動制御をカスタマイズすることが可能となる。
【００２８】
例えば、空調エリアが広い場合には、設定温度に到達するのに時間を要するため、室内温度と設定温度の温度差が３℃であっても、空調エリア内に室内機からの冷風または温風を広く行き渡らせるために強風とする。一方で、空調エリアが狭い場合には、室内温度と設定温度の温度差が３℃であれば設定温度に到達するのにさほど時間を要さないため弱風とし、温度差が７℃以上で強風とする。このように強風が不要な場合には弱風とすることで、消費電力を抑えることが可能である。
【００２９】
または、例えば空調エリアの人数が多い場合には、設定温度に到達するのに時間を要するため、室内温度と設定温度の温度差が３℃であっても、強風とする。一方で、空調エリアの人数が少ない場合には、室内温度と設定温度の温度差が３℃であれば設定温度に到達するのにさほど時間を要さないため弱風とし、温度差が７℃以上で強風とする。このように強風が不要な場合には弱風とすることで、消費電力を抑えることが可能である。
【００３０】
このように、本実施の形態によれば、自動制御時に、空調エリアの状況またはユーザーの快適性に応じた風速とすることが可能であり、さらには、消費電力を抑えることも可能である。なお、この温度差と風速の組み合わせは一例であり、これに限定されるものではない。
【００３１】
図４は、本発明にかかる空調システムを構成する室内機３１の風向を示す図である。図４では、空調システムの設定風向が自動制御とされたときに、マイコン制御処理部１３は、予め設定されている風向設定（設定１〜３のいずれか）に角度を固定している。また、図４は、図３のリモコン画面２１内の設定１〜３を自動制御に組み込んだときの一例であり、設定によって風向３２〜３４に示す風向の角度を調整することができる。図４では、設定１の風向３２の角度が最も高く、設定３の風向３４の角度が最も低い。
【００３２】
このように、本実施の形態によれば、自動制御時に、風向を選択可能な構成とすることが可能であり、ユーザーの快適性に応じて、自動制御をカスタマイズすることが可能となる。なお、この設定風向は一例であり、これに限定されるものではない。
【００３３】
従来の空調システムでは自動制御時の設定を選択することができず、例えば室内機が空調エリアの温度を検知して自動で制御を行っていたため、空調エリアの状況またはユーザーの快適性に応じてユーザーが自動制御の設定を変更することができない構成であった。本実施の形態によれば、リモコン画面に自動制御の基準値設定を表示し、自動制御時に参照する基準値を変更することができるため、自動制御基準値をユーザーの求める設定にすることができる。
【００３４】
実施の形態２．
本実施の形態では、リモコンで設定される基準値をユーザー毎に管理する形態について説明する。図５は、本実施の形態における、自動制御基準値を操作する画面が表示されたリモコン５の外観の一例を示す図である。
【００３５】
リモコン画面４１には、ユーザー名４２（ユーザ１）と、該ユーザーが操作することができる設定値（自動制御基準値）として風速設定と風向設定が表示されている。風速設定では、例えば設定１を強風、設定２を中風、設定３を弱風とする。風向設定では、例えば設定１を上向き、設定２を斜め下向き、設定３を下向きとする。
【００３６】
ユーザー名４２は、各ユーザーがリモコン５の操作ボタン４４を操作することで設定することが可能である。また、ユーザーがリモコン５の操作ボタン４４によりリモコン画面４１を操作することで、自動制御基準値は設定１〜３のいずれかに決定される。なお、リモコン画面４１を操作表示部（タッチパネル）にすると、リモコン画面４１上で操作が完結するため、操作ボタン４４が不要となり、リモコン５の操作性が向上する。
【００３７】
操作ボタン４４によりリモコン画面４１を操作することで、自動制御設定値のみならずユーザー名も設定することができ、該設定情報はリモコン５からリモコン通信受信部１２に送信されて、リモコン通信受信部１２に受信された情報はマイコン制御処理部１３で処理される。
【００３８】
実施の形態１では、この処理は、風速指令部１４や風向指令部１５への指令に留まっていたが、本実施の形態では、マイコン制御処理部１３に送信され、ユーザー名と関連付けられた自動制御基準値の設定値をメモリ１８にも記憶することができる。
【００３９】
また、図５に示すリモコン５には「情報書込」及び「情報読込」の設定部分４３を操作することができるようにして、メモリ１８に記憶したユーザー毎の設定値を読み出すことが可能である。
【００４０】
このように、リモコンによってユーザー名を操作して「情報書込」と「情報読込」とを選択することとしたので、自動制御基準値を複数のユーザー毎に関連付けて記憶し、リモコンを操作することにより読み出すことが可能である。
【００４１】
本実施の形態によれば、自動制御基準値を複数のユーザー毎に関連付けて記憶することが可能であるため、例えば、この空調システムの空調対象エリアを利用する管理者とユーザーとが存在する場合に、管理者には風速と風向の双方を変更する権限を与え、ユーザーには風向を変更する権限のみを与えることで、空調対象エリアの風速の意図しない変更を防止することも可能である。なお、このように管理者とユーザーで権限を異ならせる場合には、管理者用パスワードを設定するとよい。
【産業上の利用可能性】
【００４２】
以上のように、本発明にかかる空調システムは、自動制御モードにて運転する空調システムに有用である。
【符号の説明】
【００４３】
１  第１の室外機、２  第２の室外機、３  第１の室内機、４  第２の室内機、５  リモコン、６〜９  通信線、１０  空調システム、１１  リモコン通信送信部、１２  リモコン通信受信部、１３  マイコン制御処理部、１４  風速指令部、１５  風向指令部、１６  内外通信送信部、１７  内外通信受信部、１８  メモリ、２１  リモコン画面、２２  操作ボタン、３１  室内機、３２  風向、３３  風向、３４  風向、４１  リモコン画面、４２  ユーザー名、４３  「情報書込」及び「情報読込」の設定部分、４４  操作ボタン。
【図１】
2015145736.tif 000004
【図２】
2015145736.tif 000005
【図３】
2015145736.tif 000006
【図４】
2015145736.tif 000007
【図５】
2015145736.tif 000008